(57)【特許請求の範囲】
【請求項１】
多数本の直線状の主筋と環状のフープ筋とを組み合わせて筒状に形成した鉄筋籠の上部内周に貫通孔が中心に形成された円環形の遮断板を固着し、該遮断板より上方に突出する該主筋の上端部分を発泡性合成樹脂製の筒状カバーによって被うとともに、厚紙を芯材とし外周面にプラスチックフィルムを巻付け上端部に係合部を設けてなる大径の引抜用筒と厚紙からなる小径筒とを該遮断板上に同心状に配置し、該引抜用筒と小径筒の上端にその隙間を塞ぐ蓋板を被せ、該小径筒内にトレミー管を挿入しコンクリートを打設するようにしたことを特徴とする余盛コンクリートの除去を容易とする現場造成鉄筋コンクリート杭の施工構造。
【請求項２】
小径筒の内周面の下部に内向鍔を設けた請求項１に記載の現場造成鉄筋コンクリート杭の施工構造。
【請求項３】
遮断板が固着された位置に相当する鉄筋籠の外周に縁切用弾性帯を巻回した請求項１または２に記載の現場造成鉄筋コンクリート杭の施工構造。
【請求項４】
遮断板は鉄板製であって中心に向かい上向きとなる緩い傾斜の山形に形成されたものである請求項１〜３のいずれかに記載の現場造成鉄筋コンクリート杭の施工構造。
【請求項５】
遮断板の上面の外周縁部に引抜用筒の下縁部に係合する突片を形成するとともに、該遮断板の上面の内周縁部に小径筒の下縁部に係合する突片を形成した請求項１〜４のいずれかに記載の現場造成鉄筋コンクリート杭の施工構造。
【請求項６】
蓋板の下面の外周縁部に引抜用筒の上縁部に係合する突片を形成するとともに、該蓋板の下面の内周縁部に小径筒の上縁部に係合する突片を形成した請求項１〜５のいずれかに記載の現場造成鉄筋コンクリート杭の施工構造。
【請求項７】
遮断板と蓋板とを引抜用筒と小径筒との隙間に通した複数本の鉄棒により連結した請求項１〜６のいずれかに記載の現場造成鉄筋コンクリート杭の施工構造。
【請求項８】
引抜用筒は外周面に気泡入りプラスチックフィルムを巻付けてなるものである請求項１〜７のいずれかに記載の現場造成鉄筋コンクリート杭の施工構造。
【請求項９】
引抜用筒は補強枠の上端に係合部を設け、該補強枠に厚紙からなる紙筒を装填してなるものである請求項１〜８のいずれかに記載の現場造成鉄筋コンクリート杭の施工構造。
【発明の詳細な説明】
【０００１】
【発明の属する技術分野】
本発明は、土木，建築現場に鉄筋コンクリート杭を造成するに際して余盛コンクリートを容易に除去できるようにする施工構造に関するものである。
【０００２】
【従来の技術】
【特許文献１】
特開２０００−１５４５４２
【０００３】
土木，建築現場に造成される鉄筋コンクリート杭の上部に位置する余盛コンクリートの除去を容易にするために従来から知られている膨張剤袋を用いる工法は、杭孔に建て込まれた鉄筋籠の上部内側に、膨張剤が入った透水性の袋を適宜配置し、この鉄筋籠の中心にトレミー管を挿入してコンクリートを打設し、その膨張剤が杭孔内の水分やコンクリート中の余剰水と反応することで膨張圧を発現し、この膨張圧によって硬化後のコンクリートにクラックを発生させ、余盛コンクリートの除去を容易にしようとするものであった。
【０００４】
また、上記特許文献１は、鉄板を二重円筒状に形成してなる杭キャップを、鉄筋籠の上部に主筋が該二重円筒中に挿入できるように設けたものである。
【０００５】
【発明が解決しようとする課題】
ところで、従来の上記膨張剤袋を用いる工法は、コンクリートを打設する際に該膨張剤袋が外れてコンクリートとともに杭孔内に入ってしまうおそれがあり、そうであると杭強度が著しく損われるという問題があった。
また、上記杭キャップを設ける工法では、鉄板と一体となった大きなコンクリート塊が廃棄物となるので、その処分にコストが掛る欠点があるほか、二重円筒中にコンクリートが入り主筋に付着し易いのでその除去が必要になるという問題がある。
本発明は、このような課題を解決し、使い勝手のよい現場造成鉄筋コンクリート杭の施工構造を提供しようとするものである。
【０００６】
【課題を解決するための手段】
そのために本発明に係る現場造成鉄筋コンクリート杭の施工構造は、多数本の直線状の主筋と環状のフープ筋とを組み合わせて筒状に形成した鉄筋籠の上部内周に貫通孔が中心に形成された円環形の遮断板を固着し、該遮断板より上方に突出する該主筋の上端部分を発泡性合成樹脂製の筒状カバーによって被うとともに、厚紙を芯材とし外周面にプラスチックフィルムを巻付け上端部に係合部を設けてなる大径の引抜用筒と厚紙からなる小径筒とを該遮断板上に同心状に配置し、該引抜用筒と小径筒の上端にその隙間を塞ぐ蓋板を被せ、該小径筒内にトレミー管を挿入しコンクリートを打設するようにしたことを特徴とする。
また、本発明は上記施工構造において、小径筒の内周面の下部に内向鍔を設けたことを特徴とする。
また、本発明は上記施工構造において、遮断板が固着された位置に相当する鉄筋籠の外周に縁切用弾性帯を巻回したことを特徴とする。
また、本発明は上記施工構造において、遮断板は鉄板製であって中心に向かい上向きとなる緩い傾斜の山形に形成されたものであることを特徴とする。
また、本発明は上記施工構造において、遮断板の上面の外周縁部に引抜用筒の下縁部に係合する突片を形成するとともに、該遮断板の上面の内周縁部に小径筒の下縁部に係合する突片を形成したことを特徴とする。
また、本発明は上記施工構造において、蓋板の下面の外周縁部に引抜用筒の上縁部に係合する突片を形成するとともに、該蓋板の下面の内周縁部に小径筒の上縁部に係合する突片を形成したことを特徴とする。
また、本発明は上記施工構造において、遮断板と蓋板とを引抜用筒と小径筒との隙間に通した複数本の鉄棒により連結したことを特徴とする。
また、本発明は上記施工構造において、引抜用筒は外周面に気泡入りプラスチックフィルムを巻付けてなるものであることを特徴とする。
また、本発明は上記施工構造において、引抜用筒は補強枠の上端に係合部を設け、該補強枠に厚紙からなる紙筒を装填してなるものであることを特徴とする。
【０００７】
【発明の実施の形態】
次に図面と共に本発明の実施の形態を説明する。図１は本発明に係る鉄筋籠の上部の外観斜視図で、この鉄筋籠１は多数本の直線状の主筋２と環状のフープ筋３とを組み合わせることにより長い筒状に形成されたものである。図２の縦断面図に示したように、４は中心の貫通孔５に向かい上向きとなる緩い傾斜の山形に形成された円環形の鉄板製遮断板で、該遮断板４は外周部を該鉄筋籠１の内周部に斜めに支筋６を溶接止することにより固着される。なお、該遮断板４の上面の外周縁部に複数の爪状の突片７を同心円上に溶接によって固着し、内周縁部には複数の爪状の突片８を同心円上に溶接によって固着している。また、９は該遮断板４の上面に溶接されたナット１０により垂直に樹立された３本の鉄棒である。
【０００８】
１１は厚さ数ｍｍの厚紙を直径０．６ｍ程度の筒状に形成してなる小径筒で、該小径筒１１は前記突片８に係合させることにより遮断板４上に同心状に配置される。
【０００９】
１２は厚紙を芯材とし外周面に気泡入りプラスチックフィルムを巻付けてなる大径の引抜用筒である。以下この引抜用筒１２について詳しく説明する。図３にこの引抜用筒１２の縦断面図、図４に部分破断面斜視図を示す。また、図５にこの引抜用筒１２の補強枠１３を示す。この補強枠１３は４本の鉄製のフラットバー１４の下端を夫々内側に直角に折曲げて折曲部１５を形成し、該折曲部上に鉄筋を環状に曲げて作ったリング１６を溶接により固着するとともに、該各フラットバーの上端に係合部１７を設けてなる。なお、該係合部１７はフラットバー１４と同様の鉄製フラットバーを短く切断しＵ字状に折曲げ、これをフラットバー１４の上端部の両側縁に被せてその内側を溶接止してなる。なお、１８はフラットバー２，２の上部寄りに開設した止孔である。そして、図６に示したように、補強枠１３の内側に厚さ数ミリの厚紙からなる紙筒１９を装填し、止ネジ２０を前記止孔１８に挿入し紙筒１９内にて該止ネジの先端にプラスチック製のキャップ２１を被せることにより該紙筒１９を補強枠１３内に止着している。
【００１０】
そして、２枚のプラスチックフィルム（ポリエチレン，ビニル等）の間に空気を介在させて熱シールすることで、該フィルム間に空気を密封し多数の気室（直径３センチ程）を形成してなる気泡入りプラスチックフィルム２２と、同様の気泡入りプラスチックフィルムであるが、気泡入りプラスチックフィルム２２よりも小さい気室（直径８ミリ程）を形成した気泡入りプラスチックフィルム２３とを、上記紙筒１９の外周面に夫々１〜数回巻付けて、該紙筒の外周面を包囲するとともに、該プラスチックフィルム２３の外周面を一般にブルーシートと称されているポリエチレンシート２４により包囲し、該ポリエチレンシートの両端縁を粘着テープ２５により止着する。該ポリエチレンシート２４は、建築物の屋根の防水用、或いはテント用、野積み用等に従来から広く使用されている引張強度のあるポリエチレンシートであって、大量生産品で用途が広いことから比較的低価格で入手し得る周知のものである。また、気泡入りプラスチックフィルム２２，２３は、エアーシートとも称され弾性のある包装用緩衝材として従来から広く使用されている周知のものである。そして、該ポリエチレンシート２４の上縁および下縁を紙筒１９内に折込み、その折込部を弾性金属帯２５，２６により夫々挟んで紙筒の内面に数個の木ネジ２７，２８により該各弾性金属帯を固着することで該ポリエチレンシートの上縁および下縁を紙筒１９内に止着してなる。
【００１１】
このように構成した引抜用筒１２は、前記突片７に係合させることにより遮断板４上に同心状に配置される。なお、３０は小径筒１１の内周面の下部に止着したプラスチック製の内向鍔である。また、３１は引抜用筒１２と小径筒１１の上端にその隙間を塞ぐべく被せた円環形の鉄板製蓋板で、該蓋板３１は前記鉄棒９を貫通させその上端部３２にナット３３を締付けることにより固定され、該蓋板の下面の外周縁部と内周縁部に夫々溶接によって固着された爪状の突片３４,３５を夫々引抜用筒１２および小径筒１１の上縁部に係合させることで該引抜用筒および小径筒を位置決め固定している。
【００１２】
また、遮断板４より上方に位置する主筋２の上端部分を、発泡スチロール製シート等の発泡性合成樹脂製シートにより形成した筒状カバー３６によって被う。また、３７は遮断板４が固着された位置に相当する鉄筋籠１の外周に巻回した発泡スチロール製の縁切用弾性帯である。
【００１３】
本発明に係る鉄筋コンクリート杭を施工するに際しては、土木，建築現場にアースドリル工法によって円形の杭孔を掘削し、図７に示したように該杭孔４０に上記鉄筋籠１を挿入した後、小径筒１１内にトレミー管４１を挿入し、コンクリート４２を打設する。この打設によってコンクリート４２は杭孔４０の下部から序々に充填され、図８に示したように、コンクリート４２は遮断板４に当ってその傾斜に沿い内向きにガイドされて小径筒１１内に入るとともに、引抜用筒１２の外側にも充填される。
【００１４】
そしてこのコンクリート４２が固まってから、上記ナット３３を緩めて蓋板３１を外し、図９に示したように、引抜用筒１２の係合部１７にクレーンフックのワイヤ４３を引っ掛けることにより、引抜用筒１２を吊り上げ、固化したコンクリート中から該引抜用筒１２を引き抜く。このとき該引抜用筒１２は、内側が空洞であり、外周面はポリエチレンシート２４によって覆われ弾性のあるプラスチックフィルム２３が介在していることで、抵抗が少ないのでクレーンによってスムースに引き上げることができる。そして前記縁切用弾性帯３７によって隔絶されたこれより上部のコンクリートをパワーシャベル等の建機で破砕し除去する。その際、主筋２の上部は筒状カバー３６によって被っていることから固化したコンクリートを容易に離脱させることができる。そして、コンクリートが詰った小径筒１１は、パワーシャベル等によって横方向の外力を加えることによって前記内向鍔３０の部分に亀裂が入って折れ易いことから容易に除去することができる。
【００１５】
このため、引抜用筒１２,筒状カバー３６,縁切用弾性帯３７等を除去することにより、図１０に示したように、余盛コンクリートが除去され、主筋２の上部が露呈された鉄筋コンクリート杭を容易に施工できる。なお、前記遮断板４は必要に応じて除去できる。
【００１６】
【発明の効果】
このように本発明に係る現場造成鉄筋コンクリート杭の施工構造によれば、引抜用筒と小径筒によりコンクリートの詰まらない空洞が形成されることから、現場でのコンクリートの所要量を少なくできるとともに、外周面にプラスチックフィルムを巻付けたことにより引抜用筒の引き抜きが容易になる。また、主筋を筒状カバーによって被うことにより主筋にコンクリートが付着するのが防がれ、余盛コンクリートを容易に除去できるようになる。さらには、引抜用筒と小径筒は厚紙から形成されたものであるので、コストが軽減されるとともに、コンクリート塊にその厚紙が付着していても廃棄処理が比較的容易となるなど種々の有益な効果がある。
【図面の簡単な説明】
【図１】本発明に係る現場造成鉄筋コンクリート杭を施工する鉄筋籠の上部の外観斜視図。
【図２】図１の縦断面図。
【図３】本発明に係る引抜用筒の縦断面図。
【図４】本発明に係る引抜用筒の部分破断面斜視図。
【図５】本発明に係る引抜用筒の補強枠の斜視図。
【図６】本発明に係る引抜用筒の補強枠と紙筒の斜視図。
【図７】本発明に係る鉄筋コンクリート杭の施工時の縦断面図。
【図８】本発明に係る鉄筋コンクリート杭の施工時の縦断面図。
【図９】本発明に係る鉄筋コンクリート杭の施工時の縦断面図。
【図１０】本発明に係る鉄筋コンクリート杭の施工時の縦断面図。
【符号の説明】
１            鉄筋籠
２            主筋
３            フープ筋
４            遮断板
５            貫通孔
７，８        突片
９            鉄棒
１０          ナット
１１          小径筒
１２          引抜用筒
１３          補強枠
１７          係合部
１９          紙筒
２２，２３    気泡入りプラスチックフィルム
２４          ポリエチレンシート
３０          内向鍔
３１          蓋板
３３          ナット
３４，３５    突片
３６          筒状カバー
３７          縁切用弾性帯
４０          杭孔
４１          トレミー管
４２          コンクリート
【図１】
0003688688.tif 000002
【図２】
0003688688.tif 000003
【図３】
0003688688.tif 000004
【図４】
0003688688.tif 000005
【図５】
0003688688.tif 000006
【図６】
0003688688.tif 000007
【図７】
0003688688.tif 000008
【図８】
0003688688.tif 000009
【図９】
0003688688.tif 000010
【図１０】
0003688688.tif 000011